(57)【要約】【課題】印刷枚数を上限枚数以下にする際、全ページに対して一括して設定内容を変更する場合と比べて重要度の高いページの視認性の低下を抑制することが可能な画像形成装置及びプログラムを提供する。【解決手段】画像形成装置１は、複数のページからなる画像データ及び画像データに対する設定内容を含む印刷ジョブを受け付ける受付手段２１と、受け付けられた印刷ジョブに含まれる設定内容では印刷枚数が上限枚数を超える場合、印刷枚数が上限枚数以下となるようにページを指定して設定内容を変更する変更手段２２とを備える。【選択図】図１
2020146911.tif 000002
【特許請求の範囲】
【請求項１】
複数のページからなる画像データ及び前記画像データに対する設定内容を含む印刷ジョブを受け付ける受付手段と、
受け付けられた前記印刷ジョブに含まれる前記設定内容では印刷枚数が上限枚数を超える場合、前記印刷枚数が前記上限枚数以下となるように前記ページを指定して前記設定内容を変更可能な変更手段と、
を備えた画像形成装置。
【請求項２】
前記変更手段は、前記設定内容では印刷枚数が上限枚数を超える場合、前記ページを指定して前記設定内容を変更可能な変更画面を表示し、前記変更画面に対する操作に基づいて前記設定内容を変更する、
請求項１に記載の画像形成装置。
【請求項３】
前記設定内容の変更は、ページごとに行うことが可能な、
請求項２に記載の画像形成装置。
【請求項４】
前記変更画面は、変更方法及び変更範囲の項目を有する、
請求項２に記載の画像形成装置。
【請求項５】
前記変更手段は、予め自動変更が設定されている場合、予め設定された変更内容に従って前記設定内容を変更する、
請求項１から４のいずれか１項に記載の画像形成装置。
【請求項６】
前記変更内容は、変更方法及び変更範囲の項目を有する、
請求項５に記載の画像形成装置。
【請求項７】
前記上限枚数は、後処理部で後処理が可能な用紙の枚数である、
請求項１から６のいずれか１項に記載の画像形成装置。
【請求項８】
前記後処理が可能な用紙の枚数は、前記後処理及び前記用紙の紙種に応じて後処理が可能な用紙の枚数である、
請求項７に記載の画像形成装置。
【請求項９】
前記上限枚数は、利用者に関する単位に応じて予め定められた上限枚数である、請求項１から６のいずれか１項に記載の画像形成装置。
【請求項１０】
前記利用者に関する単位は、個々の利用者、又は利用者が所属する組織である、
請求項９に記載の画像形成装置。
【請求項１１】
コンピュータを、
複数のページからなる画像データ及び前記画像データに対する設定内容を含む印刷ジョブを受け付ける受付手段と、
受け付けられた前記印刷ジョブに含まれる前記設定内容では印刷枚数が上限枚数を超える場合、前記印刷枚数が前記上限枚数以下となるように前記ページを指定して前記設定内容を変更可能な変更手段、
として機能させるためのプログラム。
【発明の詳細な説明】
【技術分野】
【０００１】
本発明は、画像形成装置及びプログラムに関する。
【背景技術】
【０００２】
近年、数枚の原稿から複数部印刷を行う場合に、ステープル処理の対象となる印刷用紙束の枚数がステープル処理許容枚数を超えている場合に、それを事前に察知してユーザの希望に沿った処理方法にて後処理等を行うようにした画像形成装置が提案されている（例えば、特許文献１参照。）。
【０００３】
特許文献１に記載された画像形成装置は、原稿画像を読取るスキャナ部と、印刷用紙に印刷を行う印刷部と、ユーザによる設定操作及びユーザに対する表示を行う操作部と、スキャナ部が読取った画像データを蓄積する蓄積手段と、該画像データを加工する画像処理部と、ステープル処理を含む後処理を行うフィニッシャと、各制御対象を制御する制御部と、を具備し、制御部は、フィニッシャによるステープル処理を伴う印刷作業において、原稿読取り作業又は印刷作業中に読取り枚数又は印刷枚数がステープル許容枚数を越えると判断した場合に、一部目の印刷はステープル処理なしで行い、一部目の読取り時に読取った原稿枚数からステープル許容枚数内に収まる集約印刷手順を計算して、二部目以降は一部目と同様にステープル処理なしの印刷か、或いは集約画像によるステープル処理を伴う印刷のいずれかを選択すべき旨を操作部に表示する。
【先行技術文献】
【特許文献】
【０００４】
【特許文献１】特開２００３−５７９９９号公報
【発明の概要】
【発明が解決しようとする課題】
【０００５】
本発明の課題は、印刷枚数を上限枚数以下にする際、全ページに対して一括して設定内容を変更する場合と比べて重要度の高いページの視認性の低下を抑制することが可能な画像形成装置及びプログラムを提供することにある。
【課題を解決するための手段】
【０００６】
［１］複数のページからなる画像データ及び前記画像データに対する設定内容を含む印刷ジョブを受け付ける受付手段と、
受け付けられた前記印刷ジョブに含まれる前記設定内容では印刷枚数が上限枚数を超える場合、前記印刷枚数が前記上限枚数以下となるように前記ページを指定して前記設定内容を変更する変更手段と、を備えた画像形成装置。
［２］前記変更手段は、前記設定内容では印刷枚数が上限枚数を超える場合、前記ページを指定して前記設定内容を変更可能な変更画面を表示し、前記変更画面に対する操作に基づいて前記設定内容を変更する、前記［１］に記載の画像形成装置。
［３］前記設定内容の変更は、ページごとに行うことが可能な、前記［２］に記載の画像形成装置。
［４］前記変更画面は、変更方法及び変更範囲の項目を有する、前記［２］に記載の画像形成装置。
［５］前記変更手段は、予め自動変更が設定されている場合、予め設定された変更内容に従って前記設定内容を変更する、前記［１］から［４］のいずれか１つに記載の画像形成装置。
［６］前記変更内容は、変更方法及び変更範囲の項目を有する、前記［５］に記載の画像形成装置。
［７］前記上限枚数は、後処理部で後処理が可能な用紙の枚数である、前記［１］から［６］のいずれか１つに記載の画像形成装置。
［８］前記後処理が可能な用紙の枚数は、前記後処理及び前記用紙の紙種に応じて後処理が可能な用紙の枚数である、前記［７］に記載の画像形成装置。
［９］前記上限枚数は、利用者に関する単位に応じて予め定められた上限枚数である、前記［１］から［６］のいずれか１つに記載の画像形成装置。
［１０］前記利用者に関する単位は、個々の利用者、又は利用者が所属する組織である、前記［９］に記載の画像形成装置。
［１１］コンピュータを、複数のページからなる画像データ及び前記画像データに対する設定内容を含む印刷ジョブを受け付ける受付手段と、
受け付けられた前記印刷ジョブに含まれる前記設定内容では印刷枚数が上限枚数を超える場合、前記印刷枚数が前記上限枚数以下となるように前記ページを指定して前記設定内容を変更する変更手段、として機能させるためのプログラム。
【発明の効果】
【０００７】
請求項１、１１に係る発明によれば、印刷枚数を上限枚数以下にする際、全ページに対して一括して設定内容を変更する場合と比べて重要度の高いページの視認性の低下を抑制することが可能になる。
請求項２に係る発明によれば、画面に対する操作で設定内容を変更することができる。
請求項３に係る発明によれば、ページごとに重要度の高いページか否かを判断しながら設定内容を変更することができる。
請求項４、６に係る発明によれば、重要度の高いページついては、画像データを等倍で印刷し、重要度の低いページについては、変更範囲を指定して画像データを縮小して印刷して印刷枚数を減らすことができる。
請求項５に係る発明によれば、設定内容を変更する手間を省くことができる。
請求項７、８に係る発明によれば、後処理の上限枚数以下となるように設定内容を変更することができる。
請求項９、１０に係る発明によれば、利用者に関する単位に応じて予め定められた上限枚数以下となるように設定内容を変更することができる。
【図面の簡単な説明】
【０００８】
【図１】図１は、本発明の第１の実施の形態に係る画像形成装置の制御系の一例を示すブロック図である。
【図２】図２は、上限枚数テーブルの一例を示す図である。
【図３】図３は、変更画面の一例を示す図である。
【図４】図４は、変更する前の設定内容で印刷した場合の印刷例１を示す図である。
【図５】図５は、設定内容を変更した場合の印刷例２を示す図である。
【図６】図６は、設定内容を変更した場合の印刷例３を示す図である。
【図７】図７は、設定内容を変更した場合の印刷例４を示す図である。
【図８】図８は、設定内容を変更した場合の印刷例５を示す図である。
【図９】図９は、設定内容を変更した場合の印刷例６を示す図である。
【図１０】図１０は、設定内容を変更した場合の印刷例７を示す図である。
【図１１】図１１は、設定内容を変更した場合の印刷例８を示す図である。
【図１２】図１２は、第１の実施の形態に係る画像形成装置の動作の一例を示すフローチャートである。
【図１３】図１３は、第１の実施の形態に係る画像形成装置の動作の一例を示すフローチャートである。
【図１４】図１４は、本発明の第２の実施の形態に係る画像形成装置の制御系の一例を示すブロック図である。
【発明を実施するための形態】
【０００９】
以下、本発明の実施の形態について図面を参照して説明する。なお、各図中、実質的に同一の機能を有する構成要素については、同一の符号を付してその重複した説明を省略する。
【００１０】
［実施の形態の要約］
本実施の形態に係る画像形成装置は、複数のページからなる画像データ及び画像データに対する設定内容を含む印刷ジョブを受け付ける受付手段と、受け付けられた印刷ジョブに含まれる設定内容では印刷枚数が上限枚数を超える場合、印刷枚数が上限枚数以下となるようにページを指定して設定内容を変更する変更手段とを備える。
【００１１】
上限枚数には、例えば、次のいずれかの意味がある。
（ａ）後処理部で後処理が可能な用紙の枚数である。
（ｂ）利用者に関する単位に応じて予め定められた上限枚数
利用者に関する単位は、個々の利用者でもよく、利用者が所属する組織（例えば、企業、部署、グループ等）でもよい。
【００１２】
設定内容の変更には、例えば、次の項目がある。
（ａ）変更方法
変更方法とは、複数の画像データを１枚の用紙に印刷する印刷形式のことである。印刷形式には、例えば、１枚の用紙の両面に画像データを印刷する「両面印刷」、１枚の用紙の片方の面にＮ個の画像データを印刷する「Ｎ−ｕｐ印刷」等がある。また、印刷形式には、用紙のサイズ、画像データの倍率（等倍、縮小倍率）のパラメータを含む。例えば、２−ｕｐ印刷の場合、用紙のサイズを変更せずに画像データの倍率を１／２にして印刷する形式でもよく、用紙のサイズを２倍にして画像データの倍率を等倍で印刷する形式でもよい。
（ｂ）変更範囲
変更範囲とは、複数のページのうち上記変更方法を適用するページの範囲のことである。
【００１３】
［第１の実施の形態］
図１は、本発明の第１の実施の形態に係る画像形成装置の制御系の一例を示すブロック図である。この画像形成装置１は、本装置１の各部を制御する制御部２と、各種の情報を記憶する記憶部３と、操作表示部４と、画像入力部５と、画像出力部６と、後処理部７、通信部８とを備える。
【００１４】
画像形成装置１は、例えば、スキャン、プリント、コピー、電子メール、ファックス等の複数の機能を有する複合機である。なお、画像形成装置１は、プリンタ、ファクシミリ等の単一の機能を有する画像形成装置でもよい。
【００１５】
制御部２は、ＣＰＵ（Central Processing Unit）、インターフェース等から構成されている。ＣＰＵは、プログラム３０に従って動作することにより受付手段２１、変更手段２２、ジョブ制御手段２３等として機能する。各手段２１〜２３の詳細については後述する。
【００１６】
記憶部３は、ＲＯＭ（Read Only Memory）、ＲＡＭ（Random Access Memory）、ハードディスク等から構成され、プログラム３０、上限枚数テーブル３１（図２参照）、システム設定値３２、上限枚数対応設定情報３３等が記憶されている。
【００１７】
上限枚数テーブル３１は、後処理及び紙種に応じた上限印刷枚数が予め設定されたものである。上限枚数テーブル３１の詳細については後述する。
【００１８】
システム設定値３２は、印刷ジョブに記述された印刷枚数が上限枚数テーブル３１に設定されている上限印刷枚数を超える場合に、ユーザ介入とするか否かを示すものである。ユーザ介入が設定されている場合は、変更手段２２により変更画面が操作表示部４に表示され、ユーザによる設定内容の変更を受け付ける。ユーザが設定されていない場合、すなわち自動変更が設定されている場合は、ジョブ制御手段２３は、上限枚数対応設定情報３３に従って印刷ジョブを実行する。
【００１９】
上限枚数対応設定情報３３は、後述する図３に示す変更画面４０に対して設定された内容が上限枚数対応設定情報３３として記憶部３に記憶されている。
【００２０】
操作表示部４は、例えば、液晶ディスプレイ等のディスプレイにタッチパネルが重合配置された構成を有し、表示画面に設定画面等の情報を表示するとともに、ユーザからタッチパネルへの操作を受け付ける。
【００２１】
画像入力部５は、例えばスキャナと、自動原稿送り装置とを備え、原稿台上に配置された原稿、又は自動原稿送り装置から送られた原稿から画像を読み取る。
【００２２】
画像出力部６は、例えば電子写真方式、インクジェット方式等により用紙等の記録媒体に画像を形成して出力する。
【００２３】
後処理部７は、針無し綴じ、パンチ、折り、裁断、製本等の後処理を行うものである。これらの後処理のうち一部の後処理を行うものでもよい。
【００２４】
通信部８は、例えば、ＬＡＮ（ローカルエリアネットワーク）等のネットワークを介してユーザ端末（図示せず）との間で情報を送受信する。
【００２５】
ユーザ端末は、例えば、パーソナルコンピュータ（ＰＣ）、多機能電話機（スマートフォンともいう。）、タブレット端末等の情報処理端末でもよい。
【００２６】
図２は、上限枚数テーブル３１の一例を示す図である。上限枚数テーブル３１は、後処理、紙種、上限印刷枚数等の項目を有する。後処理には、画像形成装置１が実行できる各種の後処理、例えば、針無し綴じ（針無しステープルともいう。）、パンチ、折り、裁断、製本等が示されている。紙種には、画像を印刷する用紙の種類（例えば、普通紙、薄紙）が示されている。上限印刷枚数には、後処理が可能な上限の印刷枚数が示されている。なお、紙種は厚紙等の他の種類があってもよいし、普通紙等の一種類のみでもよい。また、後処理は１つでもよい。また、製本は、折り、裁断、貼り付け等にさらに細分化されてもよい。
【００２７】
次に、制御部２の各手段２１〜２３について説明する。
【００２８】
受付手段２１は、ユーザ端末からネットワークを介して印刷ジョブを受け付ける。印刷ジョブは、複数のページからなる画像データ及び画像データに対する設定内容を含む。印刷ジョブは、画像データ及び設定内容がページ記述言語（例えば、ＰＤＬ：Page Description Language）で記述されている。
【００２９】
変更手段２２は、受付手段２１が受け付けた印刷ジョブに含まれる設定内容では印刷枚数が上限枚数を超える場合、印刷枚数が上限枚数以下となるようにページを指定して設定内容を変更する変更画面を表示し、変更画面に対する操作に基づいて設定内容を変更する。
【００３０】
具体的には、変更手段２２は、印刷ジョブに含まれる後処理に対応した上限印刷枚数Ｎを上限枚数テーブル３１から取得し、印刷ジョブに記述されている印刷枚数Ｍを取得し、印刷枚数Ｍが上限印刷枚数Ｎを超えているか否かを判断する。印刷枚数Ｍが上限印刷枚数Ｎを超えている場合には、操作表示部４に変更画面を表示して設定内容の変更を受け付ける。
【００３１】
図３は、変更画面の一例を示す図である。変更画面４０は、変更方法４１及び変更範囲４２又はキャンセル４３を選択できるように構成されている。選択範囲４２は、変更範囲の一例である。
【００３２】
変更方法４１の選択には、「拡大２ｕｐ」項目４１ａ、「拡大２ｕｐＺ折」項目４１ｂ、「両面」項目４１ｃ、「Ｎ−ｕｐ」項目４１ｄが設けられている。各項目４１ａ〜４１ｄには、チェックボックス４１ｅがそれぞれ設けられている。いずれかのチェックボックス４１ｅをチェックすることにより対応する項目４１ａ〜４１ｄが選択されたことになる。「Ｎ−ｕｐ」項目４１ｄについては、プルダウンボタン４１ｆを操作してプルダウンメニュー４１ｇを表示させ、２ｕｐ、４ｕｐ、６ｕｐ又は８ｕｐを選択する。
【００３３】
「拡大２ｕｐ」項目４１ａは、用紙のサイズを倍にして用紙の一方の面に２つのページを印刷する印刷形式である。「拡大２ｕｐＺ折」項目４１ｂは、拡大２ｕｐで印刷した後、１つのページを印刷した部分を折り曲げて、元のサイズにするものである。「両面」項目４１ｃは、用紙の両面に画像データを印刷する印刷形式である。「Ｎ−ｕｐ」項目４１ｄは、プルダウンメニュー４１ｇで選択されたＮの値のページを1枚の用紙に印刷する印刷形式である。
【００３４】
変更範囲４２の選択には、「全ページ」項目４２ａ、「前ページから」項目４２ｂ、「後ページから」４２ｃ、「ページ指定」４２ｄが設けられている。 各項目４２ａ〜４２ｄには、チェックボックス４２ｅがそれぞれ設けられている。いずれかのチェックボックス４２ｅをチェックすることにより対応する項目４２ａ〜４２ｄが選択されたことになる。「ページ指定」項目４２ｄについては、追加項目ボタン４２ｆを操作して追加項目４２ｇを表示させ、開始ページと終了ページを入力する。なお、変更範囲４２は、複数の項目４２ａ〜４２ｄを選択してもよい。
【００３５】
キャンセル４３の選択には、「ジョブキャンセル」項目４３ａとチェックボックス４３ｂが設けられている。チェックボックス４３ｂをチェックすることにより「ジョブキャンセル」項目４３ａが選択されたことになる。「ジョブキャンセル」項目４３ａを選択すると、ジョブがキャンセルされるとともに、変更方法４１及び変更範囲４２で選択した項目もキャンセルされる。
【００３６】
図４は、変更する前の設定内容で印刷した場合の印刷例１を示す図である。Ｆ１〜Ｆ７は各ページの画像を示す。同図は、７ページの画像をＡ４サイズの用紙６１の片面に印刷した場合を示す。同図には、Ｆ１〜Ｆ２で示す各ページの画像がＡ４サイズの用紙６１の片面に印刷した状態が図示されている。例えば、印刷枚数の上限が５枚とした場合、２枚は印刷枚数の上限を超えていることになる。
【００３７】
図５は、「拡大２ｕｐ」項目４１ａ及び「全ページ」項目４２ａを選択して図３に示す設定内容を変更した場合の印刷例２を示す図である。「拡大２ｕｐ」項目４１ａ及び「全ページ」項目４２ａを選択した場合、同図に示すように、１ページから６ページまでの画像Ｆ１〜Ｆ６がＡ３サイズの用紙６２の片面に２ページずつ印刷され、７ページ目の画像Ｆ７がＡ３サイズの用紙６２の片面に印刷される。印刷例２は、印刷枚数の合計は４枚となり、例えば、全ての画像Ｆ１〜Ｆ７の重要度が高い場合に選択してもよい。
【００３８】
なお、「拡大２ｕｐ」項目４１ａ及び「前ページから」項目４２ｂを選択した場合は、１ページから４ページまでの画像Ｆ１〜Ｆ４がＡ３サイズの用紙６２の片面に２ページずつ印刷され、５ページからページの画像Ｆ５〜Ｆ７がＡ３サイズの用紙６２の片面の片側に印刷される。印刷枚数の合計は５枚となる。
【００３９】
図６は、「拡大２ｕｐＺ折」項目４１ｂ及び「前ページから」項目４２ｂを選択して図４に示す設定内容を変更した場合の印刷例３を示す図である。「拡大２ｕｐＺ折」項目４１ｂ及び「前ページから」項目４２ｂを選択した場合、同図に示すように、１ページから４ページまでの画像Ｆ１〜Ｆ４がＡ３サイズの用紙６２の片面に２ページずつ印刷されてＺ折りされた後、５ページから７ページの画像Ｆ５〜Ｆ７がＡ４サイズの用紙６１の片面に印刷される。印刷例３は、印刷枚数の合計は５枚となり、例えば、全ての画像Ｆ１〜Ｆ７の重要度が高い場合に選択してもよい。
【００４０】
図７は、「拡大２ｕｐ」項目４１ａ及び「ページ指定」項目４２ｄを選択して図４に示す設定内容を変更した場合の印刷例４を示す図である。「拡大２ｕｐ」項目４１ａ及び「ページ指定」項目４２ｄ（３ページ〜６ページ）を選択した場合、同図に示すように、１ページと２ページの画像Ｆ１、Ｆ２は、Ａ４サイズの用紙６１の片面に印刷され、３ページから６ページまでの画像Ｆ３〜Ｆ６がＡ３サイズの用紙６２の片面に２ページずつ印刷され、７ページ目の画像Ｆ７がＡ４サイズの用紙６１の片面に印刷される。印刷例４は、印刷枚数の合計は５枚となり、例えば、全ての画像Ｆ１〜Ｆ７の重要度が高い場合に選択してもよい。
【００４１】
図８は、「拡大２ｕｐ」項目４１ａ及び「後ページから」項目４２ｃを選択して図４に示す設定内容を変更した場合の印刷例５を示す図である。「拡大２ｕｐ」項目４１ａ及び「後ページから」項目４２ｃを選択した場合、同図に示すように、１ページから３ページの画像Ｆ１〜Ｆ３は、Ａ４サイズの用紙６１の片面に印刷され、４ページから７ページまでの画像Ｆ４〜Ｆ７がＡ３サイズの用紙６２の片面に２ページずつ印刷される。印刷例５は、印刷枚数の合計は５枚となり、例えば、全ての画像Ｆ１〜Ｆ７の重要度が高い場合に選択してもよい。
【００４２】
図９は、「両面」項目４１ｃ及び「後ページから」項目４２ｃを選択して図４に示す設定内容を変更した場合の印刷例６を示す図である。「両面」項目４１ｃ及び「後ページから」項目４２ｃを選択した場合、同図に示すように、１ページから３ページの画像Ｆ１〜Ｆ３は、Ａ４サイズの用紙６１の片面に印刷され、４ページから７ページまでの画像Ｆ４〜Ｆ７がＡ４サイズの用紙６１の両面に印刷される。印刷例６は、印刷枚数の合計は５枚となり、例えば、全ての画像Ｆ１〜Ｆ７の重要度が高い場合に選択してもよい。
【００４３】
図１０は、「２ｕｐ」項目４１ｄ及び「後ページから」項目４２ｃを選択して図４に示す設定内容を変更した場合の印刷例７を示す図である。「２ｕｐ」項目４１ｄ及び「後ページから」項目４２ｃを選択した場合、同図に示すように、１ページから３ページの画像Ｆ１〜Ｆ３は、Ａ４サイズの用紙６１の片面に印刷され、４ページから７ページまでの画像Ｆ４〜Ｆ７がＡ４サイズの用紙６１の両面に２ページずつ縮小して印刷される。印刷例７は、印刷枚数の合計は５枚となり、例えば、画像Ｆ１〜Ｆ３の重要度が高い場合に選択してもよい。
【００４４】
図１１は、「両面」項目４１ｃ、「４ｕｐ」項目４１ｄ及び「ページ指定」項目４２ｄを選択して図４に示す設定内容を変更した場合の印刷例８を示す図である。「両面」項目４１ｃ、「４ｕｐ」項目４１ｄ及び「ページ指定」項目４２ｄを選択した場合、同図に示すように、１ページと２ページの画像Ｆ１、Ｆ２は、Ａ４サイズの用紙６１の片面に印刷され、３ページから６ページまでの画像Ｆ３〜Ｆ４がＡ４サイズの用紙６１の両面に４ページずつ縮小して印刷され、７ページの画像Ｆ７が裏面に印刷される。印刷例８は、印刷枚数の合計は３枚となり、例えば、画像Ｆ１、Ｆ２、Ｆ７の重要度が高い場合に選択してもよい。
【００４５】
（第１の実施の形態の動作）
次に、画像形成装置１の動作の一例について、図１２及び図１３を参照して説明する。図１２は、画像形成装置１の動作の一例を示すフローチャートである。
【００４６】
受付手段２１は、ユーザ端末からネットワーク及び通信部８を介して印刷ジョブを受け付ける（Ｓ１）。
【００４７】
変更手段２２は、印刷ジョブに含まれる後処理に対応した上限印刷枚数Ｎを上限枚数テーブル３１から取得し（Ｓ２）、印刷ジョブに記述されている印刷枚数Ｍを取得し（Ｓ３）。
【００４８】
次に、変更手段２２は、印刷枚数Ｍが上限印刷枚数Ｎを超えているか否かを判断すする（Ｓ４）。
【００４９】
印刷枚数Ｍが上限印刷枚数Ｎを超えていない場合は（Ｓ４：Ｎｏ）、ジョブ制御手段２３は、イメージを生成する（Ｓ５）。すなわち、ページ記述言語で記述された画像データをラスターデータからなるイメージデータに変換する。
【００５０】
ジョブ制御手段２３は、画像出力部６を制御してイメージデータを用紙に印刷して後処理部７に出力する（Ｓ６）。後処理部７は、後処理を行う（Ｓ７）。
【００５１】
上記ステップＳ４において、印刷枚数Ｍが上限印刷枚数Ｎを超える場合（Ｓ４：Ｙｅｓ）、変更手段２２は、システム設定値３２の初期状態であるデフォルト値を記憶部３から取得する（Ｓ８）。システム設定値３２はユーザ介入になっているか否かを判断する（Ｓ９）。
【００５２】
システム設定値３２がユーザ介入になっている場合（Ｓ９：Ｙｅｓ）、ユーザ介入のループ処理を行い（Ｓ１０〜Ｓ１２）、変更画面４０を操作表示部４に表示し、設定変更がされた場合（Ｓ１１：Ｙｅｓ）、及び上記ステップＳ９においてユーザ介入になっていなかった場合は（Ｓ９：Ｎｏ）、後述するＭ≦Ｎの確認処理を行う（Ｓ１３）。
【００５３】
図１３は、確認処理の一例を示すフローチャートである。変更手段２２は、変更範囲Ｐを取得する（Ｓ１３１）。変更範囲Ｐとは、設定内容を変更するページ数のことである。
【００５４】
変更手段２２は、設定内容が両面、２−ｕｐの場合はＸ＝２、Ｎ−ｕｐの場合はＸ＝ｎとする（Ｓ１３２）。
【００５５】
変更手段２２は、次の関係式（１）を満たすか否かを判断する（Ｓ１３３）。
Ｍ−Ｐ＋（Ｐ／Ｘ）≦Ｎ            ・・・（１）
【００５６】
上記関係式（１）を満たす場合は（Ｓ１３３：Ｙｅｓ）、上記ステップＳ５に進み、上記関係式（１）を満たさない場合は（Ｓ１３３：Ｎｏ）、上記ステップＳ１０に進む。
【００５７】
［第２の実施の形態］
図１４は、本発明の第２の実施の形態に係る画像形成装置の制御系の一例を示すブロック図である。第１の実施の形態では、上限枚数として、後処理部７で後処理が可能な上限印刷枚数について説明したが、本実施の形態は、ユーザごと及びユーザが属するグループごとに上限印刷枚数が予め定められている。以下、第１の実施の形態と異なる点を中心に説明する。
【００５８】
本実施の形態の画像形成装置１は、第１の実施の形態と同様に、制御部２と、各種の情報を記憶する記憶部３と、操作表示部４と、画像入力部５と、画像出力部６と、後処理部７、通信部８とを備える。
【００５９】
記憶部３は、ＲＯＭ（Read Only Memory）、ＲＡＭ（Random Access Memory）、ハードディスク等から構成され、プログラム３０、システム設定値３２、上限枚数対応設定情報３３、上限枚数テーブル３４、履歴情報３５等が記憶されている。
【００６０】
上限枚数テーブル３４は、ユーザごと及びユーザが属するグループごとに予め定められた上限印刷枚数が設定されている。ユーザは、利用者の一例である。グループは、組織の一例である。上限印刷枚数は、月ごと等の一定の期間ごとに設定されてもよい。
【００６１】
ジョブ制御手段２３は、ジョブの実行が終了すると、ユーザごと及びグループごとに印刷枚数を記憶部３に履歴情報３５として記憶する。
【００６２】
変更手段２２は、印刷ジョブを送信したユーザに対応した上限印刷枚数Ｎを上限枚数テーブル３１から取得し、印刷ジョブに記述されている印刷枚数Ｍを取得し、履歴情報３５から印刷枚数Ｒを取得する。
【００６３】
変更手段２２は、以下の関係式（２）を満たすか否かを判断する。
Ｎ−Ｒ≧Ｍ            ・・・（２）
【００６４】
変更手段２２は、上記関係式（２）を満たさないと判断した場合は、操作表示部４に変更画面４０を表示して設定内容の変更を受け付ける。
【００６５】
以上、本発明の実施の形態を説明したが、本発明の実施の形態は上記実施の形態に限定されるものではなく、本発明の要旨を変更しない範囲内で種々の変形、実施が可能である。
【００６６】
制御部２の各手段は、それぞれ一部又は全部を再構成可能回路（ＦＰＧＡ：Field Programmable Gate Array）、特定用途向け集積回路（ＡＳＩＣ：Application Specific Integrated Circuit）等のハードウエア回路によって構成してもよい。
【００６７】
また、本発明の要旨を変更しない範囲内で、上記実施の形態の構成要素の一部を省くことや変更することが可能である。
【００６８】
また、本発明の要旨を変更しない範囲内で、上記実施の形態のフローにおいて、ステップの追加、削除、変更、入替え等が可能である。また、上記実施の形態で用いたプログラムをＣＤ−ＲＯＭ等のコンピュータ読み取り可能な記録媒体に記録して提供することができる。また、上記実施の形態で用いたプログラムをクラウドサーバ等の外部サーバに格納しておき、ネットワークを介して利用することができる。
【符号の説明】
【００６９】
１…画像形成装置、２…制御部、３…記憶部、４…操作表示部、５…画像入力部、６…画像出力部、７…後処理部、８…通信部、２１…受付手段、２２…変更手段、２３…ジョブ制御手段、３０…プログラム、３１…上限枚数テーブル、３２…システム設定値、３３…上限枚数対応設定情報、３４…上限枚数テーブル、３５…履歴情報、４０…変更画面、４１…変更方法、４１ａ〜４１ｄ…項目、４１ｅ…チェックボックス、４１ｆ…プルダウンボタン、４１ｇ…プルダウンメニュー、４２…変更範囲、４２ａ〜４２ｄ…項目、４２ｅ…チェックボックス、４２ｆ…拡張ボタン、４２ｇ…拡張項目、４３…キャンセル、４３ａ…項目、４３ｂ…チェックボックス、６１…Ａ４サイズの用紙、６２…Ａ３サイズの用紙
【図１】
2020146911.tif 000003
【図２】
2020146911.tif 000004
【図３】
2020146911.tif 000005
【図４】
2020146911.tif 000006
【図５】
2020146911.tif 000007
【図６】
2020146911.tif 000008
【図７】
2020146911.tif 000009
【図８】
2020146911.tif 000010
【図９】
2020146911.tif 000011
【図１０】
2020146911.tif 000012
【図１１】
2020146911.tif 000013
【図１２】
2020146911.tif 000014
【図１３】
2020146911.tif 000015
【図１４】
2020146911.tif 000016